(57)【特許請求の範囲】
【請求項１】
移動端末の運動パラメータを取得することと、
前記運動パラメータに従って現撮影パラメータを決定することと、
前記現撮影パラメータに従って画像を撮影することとを含み、
前記運動パラメータに従って現撮影パラメータを決定することは、
前記運動パラメータに従って第１撮影パラメータを算出することと、
前記移動端末の画像撮影時の環境のパラメータであって撮影時間、撮影場所およびホワイトバランスパラメータのうちの少なくとも１つを含む撮影環境パラメータに従って第２撮影パラメータを算出することと、
前記第１撮影パラメータおよび前記第２撮影パラメータに従って前記現撮影パラメータを決定することとを含み、
前記第１撮影パラメータは第１露光時間Ｔ１を含み、前記第２撮影パラメータは第２露光時間Ｔ２と実質感光度とを含み、
前記第１撮影パラメータおよび前記第２撮影パラメータに従って前記現撮影パラメータを決定することは、
前記第１露光時間Ｔ１が前記第２露光時間Ｔ２以上である場合、前記第２露光時間Ｔ２を現露光時間とし、前記実質感光度を現感光度とすることと、
前記第１露光時間Ｔ１が前記第２露光時間Ｔ２未満である場合、前記第１露光時間Ｔ１を前記現露光時間とし、前記実質感光度と補償感光度との合計を前記現感光度とすることとを含み、
前記実質感光度と前記補償感光度との前記合計が前記移動端末の最大感光度を超えているか否かを検知することと、
前記実質感光度と前記補償感光度との前記合計が前記移動端末の前記最大感光度を超えている場合、前記最大感光度を前記現感光度とすることと、
前記実質感光度と前記補償感光度との前記合計が前記移動端末の前記最大感光度未満である場合、前記実質感光度と前記補償感光度との前記合計を前記現感光度とすることとをさらに含み、
前記補償感光度が前記第１露光時間Ｔ１と前記第２露光時間Ｔ２との差によって決定され、前記現感光度として前記撮影環境パラメータに対応する露光量を確保する、画像を撮影する方法。
【請求項２】
前記運動パラメータに従って第１撮影パラメータを算出することは、
少なくとも１つの運動パラメータ群と、各運動パラメータ群に対応する第１撮影パラメータとを含む第１対応関係において、前記運動パラメータに対応する前記第１撮影パラメータを問い合わせることを含む、請求項１に記載の方法。
【請求項３】
前記撮影環境パラメータに従って第２撮影パラメータを算出することは、
少なくとも１つの撮影環境パラメータ群と、各撮影環境パラメータ群に対応する第２撮影パラメータとを含む第２対応関係において、前記撮影環境パラメータに対応する前記第２撮影パラメータを問い合わせることを含む、請求項１または請求項２に記載の方法。
【請求項４】
移動端末の運動パラメータを取得するように構成される取得モジュールと、
前記運動パラメータに従って現撮影パラメータを決定するように構成される決定モジュールと、
前記現撮影パラメータに従って画像を撮影するように構成される撮影モジュールとを備え、
前記決定モジュールは、
前記運動パラメータに従って第１撮影パラメータを算出するように構成される第１算出サブモジュールと、
前記移動端末の画像撮影時の環境のパラメータであって撮影時間、撮影場所およびホワイトバランスパラメータのうちの少なくとも１つを含む撮影環境パラメータに従って第２撮影パラメータを算出するように構成される第２算出サブモジュールと、
前記第１撮影パラメータおよび前記第２撮影パラメータに従って前記現撮影パラメータを決定するように構成される撮影決定サブモジュールとを備え、
前記第１撮影パラメータは第１露光時間Ｔ１を含み、前記第２撮影パラメータは第２露光時間Ｔ２と実質感光度とを含み、前記撮影決定サブモジュールは、
前記第１露光時間Ｔ１が前記第２露光時間Ｔ２以上である場合、前記第２露光時間Ｔ２を現露光時間とし、前記実質感光度を現感光度とし、
前記第１露光時間Ｔ１が前記第２露光時間Ｔ２未満である場合、前記第１露光時間Ｔ１を前記現露光時間とし、前記実質感光度と補償感光度との合計を前記現感光度とするように構成され、
前記実質感光度と前記補償感光度との前記合計が前記移動端末の最大感光度を超えているか否かを検知するように構成される最大感光度検知モジュールと、
前記実質感光度と前記補償感光度との前記合計が前記移動端末の前記最大感光度を超えていると前記最大感光度検知モジュールが検知した場合、前記最大感光度を前記現感光度とするように構成される最大感光度設定モジュールとをさらに備え、
前記撮影決定サブモジュールは、前記実質感光度と前記補償感光度との前記合計が前記移動端末の前記最大感光度未満であると前記最大感光度検知モジュールが検知した場合、前記実質感光度と前記補償感光度との前記合計を前記現感光度とするように構成され、
前記補償感光度が前記第１露光時間Ｔ１と前記第２露光時間Ｔ２との差によって決定され、前記現感光度として前記撮影環境パラメータに対応する露光量を確保する、画像を撮影する装置。
【請求項５】
前記第１算出サブモジュールは、
少なくとも１つの運動パラメータ群と、各運動パラメータ群に対応する第１撮影パラメータとを含む第１対応関係において、前記運動パラメータに対応する前記第１撮影パラメータを問い合わせるように構成される、請求項４に記載の装置。
【請求項６】
前記第２算出サブモジュールは、
少なくとも１つの撮影環境パラメータ群と、各撮影環境パラメータ群に対応する第２撮影パラメータとを含む第２対応関係において、前記撮影環境パラメータに対応する前記第２撮影パラメータを問い合わせるように構成される、請求項４または請求項５に記載の装置。
【請求項７】
コンピュータ上で実行すると、請求項１〜３のいずれか１つに記載の画像を撮影する方法を前記コンピュータに実行させるコンピュータプログラム。
【請求項８】
請求項７に記載のコンピュータプログラムを記憶したコンピュータ読取可能記憶媒体。
【発明の詳細な説明】
【技術分野】
【０００１】
［関連出願の相互参照］
本出願は、２０１４年１２月９日に出願された中国特許出願第２０１４１０７４８９９２．６号に基づく優先権を主張し、当該出願に記載された全ての記載内容を援用する。
【０００２】
本開示は、写真撮影分野に関し、より詳細には、画像を撮影する方法および画像を撮影する装置に関する。
【背景技術】
【０００３】
スマートフォン、パネルコンピュータ、スマートカメラなどのような移動端末において、撮影機能はユーザが最も頻繁に使用する機能の１つである。
【０００４】
移動端末には通常複数の撮影モードがある。各撮影モードの撮影パラメータは比較的固定されている。移動端末を用いて画像を撮影する際、ユーザは撮影モードの１つを選択して画像を撮影することができる。移動端末が不安定な状態にある場合や、動いている場合があるため、比較的固定された撮影パラメータに従って撮影された画像には、移動端末の動きに起因して顕著なスミアが生じてしまう。
【発明の概要】
【発明が解決しようとする課題】
【０００５】
移動端末の動きに起因して撮影画像に顕著なスミアが生じてしまうという問題を解決するために、本開示は、画像を撮影する方法および画像を撮影する装置を提供する。その技術的解決手法は以下の通りである。
【課題を解決するための手段】
【０００６】
本開示の実施形態の第１の側面によると、
移動端末の運動パラメータを取得することと、
前記運動パラメータに従って現撮影パラメータを決定することと、
前記現撮影パラメータに従って画像を撮影することとを含む、画像を撮影する方法が提供される。
【０００７】
あるいは、前記運動パラメータに従って現撮影パラメータを決定することは、
前記運動パラメータに従って第１撮影パラメータを算出することと、
前記移動端末の環境のパラメータである撮影環境パラメータに従って第２撮影パラメータを算出することと、
前記第１撮影パラメータおよび前記第２撮影パラメータに従って前記現撮影パラメータを決定することとを含んでもよい。
【０００８】
あるいは、前記第１撮影パラメータは第１露光時間Ｔ１を含み、前記第２撮影パラメータは第２露光時間Ｔ２と実質感光度とを含み、
前記第１撮影パラメータおよび前記第２撮影パラメータに従って前記現撮影パラメータを決定することは、
前記第１露光時間Ｔ１が前記第２露光時間Ｔ２以上である場合、前記第２露光時間Ｔ２を現露光時間とし、前記実質感光度を現感光度とすることと、
前記第１露光時間Ｔ１が前記第２露光時間Ｔ２未満である場合、前記第１露光時間Ｔ１を前記現露光時間とし、前記実質感光度と補償感光度との合計を前記現感光度とすることとを含んでもよい。
【０００９】
あるいは、前記方法は、
前記実質感光度と前記補償感光度との前記合計が前記移動端末の最大感光度を超えているか否かを検知することと、
前記実質感光度と前記補償感光度との前記合計が前記移動端末の前記最大感光度を超えている場合、前記最大感光度を前記現感光度とすることと、
前記実質感光度と前記補償感光度との前記合計が前記移動端末の前記最大感光度未満である場合、前記実質感光度と前記補償感光度との前記合計を前記現感光度とすることとをさらに含んでもよい。
【００１０】
あるいは、前記運動パラメータに従って第１撮影パラメータを算出することは、
少なくとも１つの運動パラメータ群と、各運動パラメータ群に対応する第１撮影パラメータとを含む第１対応関係において、前記運動パラメータに対応する前記第１撮影パラメータを問い合わせることを含んでもよい。
【００１１】
あるいは、前記撮影環境パラメータに従って第２撮影パラメータを算出することは、
少なくとも１つの撮影環境パラメータ群と、各撮影環境パラメータ群に対応する第２撮影パラメータとを含む第２対応関係において、前記撮影環境パラメータに対応する前記第２撮影パラメータを問い合わせることを含んでもよい。
【００１２】
本開示の実施形態の第２の側面によると、
移動端末の運動パラメータを取得するように構成される取得モジュールと、
前記運動パラメータに従って現撮影パラメータを決定するように構成される決定モジュールと、
前記現撮影パラメータに従って画像を撮影するように構成される撮影モジュールとを備える、画像を撮影する装置が提供される。
【００１３】
あるいは、前記決定モジュールは、
前記運動パラメータに従って第１撮影パラメータを算出するように構成される第１算出サブモジュールと、
前記移動端末の環境のパラメータである撮影環境パラメータに従って第２撮影パラメータを算出するように構成される第２算出サブモジュールと、
前記第１撮影パラメータおよび前記第２撮影パラメータに従って前記現撮影パラメータを決定するように構成される撮影決定サブモジュールとを備えてもよい。
【００１４】
あるいは、前記第１撮影パラメータは第１露光時間Ｔ１を含み、前記第２撮影パラメータは第２露光時間Ｔ２と実質感光度とを含み、前記撮影決定サブモジュールは、
前記第１露光時間Ｔ１が前記第２露光時間Ｔ２以上である場合、前記第２露光時間Ｔ２を現露光時間とし、前記実質感光度を現感光度とし、
前記第１露光時間Ｔ１が前記第２露光時間Ｔ２未満である場合、前記第１露光時間Ｔ１を前記現露光時間とし、前記実質感光度と補償感光度との合計を前記現感光度とするように構成されてもよい。
【００１５】
あるいは、前記装置は、
前記実質感光度と前記補償感光度との前記合計が前記移動端末の最大感光度を超えているか否かを検知するように構成される最大感光度検知モジュールと、
前記実質感光度と前記補償感光度との前記合計が前記移動端末の前記最大感光度を超えていると前記最大感光度検知モジュールが検知した場合、前記最大感光度を前記現感光度とするように構成される最大感光度設定モジュールとをさらに備え、
前記撮影決定サブモジュールは、前記実質感光度と前記補償感光度との前記合計が前記移動端末の前記最大感光度未満であると前記最大感光度検知モジュールが検知した場合、前記実質感光度と前記補償感光度との前記合計を前記現感光度とするように構成されてもよい。
【００１６】
あるいは、前記第１算出サブモジュールは、
少なくとも１つの運動パラメータ群と、各運動パラメータ群に対応する第１撮影パラメータとを含む第１対応関係において、前記運動パラメータに対応する前記第１撮影パラメータを問い合わせるように構成されてもよい。
【００１７】
あるいは、前記第２算出サブモジュールは、
少なくとも１つの撮影環境パラメータ群と、各撮影環境パラメータ群に対応する第２撮影パラメータとを含む第２対応関係において、前記撮影環境パラメータに対応する前記第２撮影パラメータを問い合わせるように構成されてもよい。
【００１８】
本開示の実施形態の第３の側面によると、
プロセッサと、
プロセッサによって実行可能な命令を記憶するように構成されるメモリとを備え、
前記プロセッサは、
移動端末の運動パラメータを取得し、
前記運動パラメータに従って現撮影パラメータを決定し、
前記現撮影パラメータに従って画像を撮影するように構成される、画像を撮影する装置が提供される。
【発明の効果】
【００１９】
本開示の実施形態に開示される技術的解決手法は、以下の効果を奏すると考えられる。移動端末の運動パラメータに従って現撮影パラメータを決定し、現撮影パラメータに従って画像を撮影することによって、移動端末の動きに起因して撮影画像に顕著なスミアが生じてしまうという問題を解決し、移動端末の運動パラメータに従って現撮影パラメータを決定して、撮影画像にまったくスミアがない状態またはほとんどスミアがない状態にするという効果を達成する。
【００２０】
上記の一般的な説明および下記の詳細な説明は、いずれも説明を目的とした例示的なものに過ぎず、特許請求の範囲に記載したような本開示を限定するものではないことを理解されたい。
【図面の簡単な説明】
【００２１】
本明細書に参照され、また、本明細書の一部を構成する添付の図面は、本開示と整合する実施形態を示し、以下の記述と共に本開示の要旨を説明するものである。
【００２２】
【図１】図１は、本開示の例示的な実施形態に係る画像を撮影する方法を示すフローチャートである。
【図２】図２は、本開示の別の例示的な実施形態に係る画像を撮影する方法を示すフローチャートである。
【図３】図３は、本開示の別の例示的な実施形態に係る画像を撮影する方法を示すフローチャートである。
【図４】図４は、本開示の例示的な実施形態に係る画像を撮影する装置を示すブロック図である。
【図５】図５は、本開示の別の例示的な実施形態に係る画像を撮影する装置を示すブロック図である。
【図６】図６は、本開示の例示的な実施形態に係る画像を撮影する装置を示すブロック図である。
【００２３】
以下に、上記図面を参照して本開示の具体的な実施形態を説明し、さらに詳細な説明を記載する。これらの図面および説明は、本開示の範囲を何ら限定するものではなく、具体的な実施形態を参照して当業者に本開示の概念を説明するものである。
【発明を実施するための形態】
【００２４】
次に、例示的な実施形態について詳細に述べる。添付図面にはこれらの例示的な実施形態の例が図示される。以下の説明は添付図面を参照する。別途示さない限り、異なる図面における同一の番号は、同一または同様の要素を示す。以下の例示的な実施形態の説明に記載する具体化態様は、本開示と整合する具体化態様のすべてを示しているわけではない。むしろ、特許請求の範囲に記載される本開示に関する側面と整合する装置および方法の一例にすぎない。
【００２５】
本明細書において、移動端末は画像撮影が可能な電子機器である。移動端末は、携帯電話、パネルコンピュータ、電子書籍リーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ラップトップポータブルコンピュータなどであってもよい。
【００２６】
図１は、本開示の例示的な実施形態に係る画像を撮影する方法を示すフローチャートである。本実施形態では、上記画像を撮影する方法を画像撮影が可能な移動端末に適用した場合を例に取る。上記画像を撮影する方法は、以下のステップを含んでもよい。
【００２７】
ステップ１０１において、移動端末の運動パラメータを取得する。
【００２８】
ステップ１０２において、運動パラメータに従って現撮影パラメータを決定する。
【００２９】
ステップ１０３において、現撮影パラメータに従って画像を撮影する。
【００３０】
上記の通り、本実施形態に係る画像を撮影する方法では、移動端末の運動パラメータに従って現撮影パラメータを決定し、現撮影パラメータに従って画像を撮影することによって、移動端末の動きに起因して撮影画像に顕著なスミアが生じてしまうという問題を解決し、移動端末の運動パラメータに従って現撮影パラメータを決定して、撮影画像にまったくスミアがない状態またはほとんどスミアがない状態にするという効果を達成する。
【００３１】
図２は、本開示の別の例示的な実施形態に係る画像を撮影する方法を示すフローチャートである。本実施形態では、上記画像を撮影する方法を画像撮影が可能な移動端末に適用した場合を例に取る。上記画像を撮影する方法は、以下のステップを含んでもよい。
【００３２】
ステップ２０１において、移動端末の運動パラメータを取得する。
【００３３】
移動端末は、重力加速度センサ、ジャイロセンサ、および電子コンパスセンサなどの内部センサを通常備えている。
【００３４】
画像撮影の際、移動端末は内部センサによって自身の運動パラメータを取得する。運動パラメータには、加速度、線速度、および角速度のうち少なくとも１つが含まれる。運動パラメータは、移動端末の運動特性を表すように構成される。
【００３５】
ステップ２０２において、運動パラメータに従って第１撮影パラメータを算出する。
【００３６】
第１撮影パラメータは、露光時間、絞り値、および感光度のうち少なくとも１つを含んでもよい。通常スミアは長時間の露光に起因するため、本実施形態では、第１撮影パラメータが露光時間である場合を例に取る。
【００３７】
移動端末には第１対応関係が予め設定されていてもよい。第１対応関係は、少なくとも１つの運動パラメータ群と、各運動パラメータ群に対応する第１撮影パラメータとを含む。表１に第１対応関係の一例を示す。
【００３８】
【表１】
0006267363.tif 000002
【００３９】
現運動パラメータを取得すると、移動端末は、第１対応関係において該現運動パラメータに対応する第１撮影パラメータを問い合わせる。
【００４０】
本実施形態において、第１対応関係の構成形態は限定されるものではないと解釈されたい。第１対応関係は、移動端末の運動速度が露光時間と負の相関関係にあれば、すなわち、移動端末の動きが早ければ早いほど露光時間が短く、移動端末の動きが遅ければ遅いほど露光時間が長ければ、別の形態またはアルゴリズムによって構成してもよい。
【００４１】
ステップ２０３において、撮影環境パラメータに従って第２撮影パラメータを算出する。
【００４２】
撮影環境パラメータは、撮影時間、撮影場所、光度、およびホワイトバランスパラメータのうち少なくとも１つを含んでもよい。移動端末は、内部時計によって撮影時間を取得し、内部測位モジュールによって撮影場所を取得し、光度センサによって光度を取得し、ホワイトバランスセンサによってホワイトバランスパラメータを取得してもよい。わかりやすくするため、本実施例では撮影環境パラメータが光度である場合を例に取る。
【００４３】
第２撮影パラメータは、露光時間、絞り値、および光度のうち少なくとも１つを含んでもよい。移動端末におけるカメラの絞り値は固定されていることが多いため、本実施形態では、第２撮影パラメータが露光時間および感光度を含む場合を例に取る。
【００４４】
移動端末には第２対応関係が予め設定されていてもよい。第２対応関係は、少なくとも１つの撮影環境パラメータ群と、各撮影環境パラメータ群に対応する第２撮影パラメータとを含む。表２に第２対応関係の一例を示す。
【００４５】
【表２】
0006267363.tif 000003
【００４６】
現撮影環境パラメータを取得すると、移動端末は、第２対応関係において現撮影環境パラメータに対応する第２撮影パラメータを問い合わせる。
【００４７】
上記同様、本実施形態において、第２対応関係の構成形態は限定されない。第２対応関係は、別の形態のアルゴリズムによって構成してもよい。
【００４８】
ステップ２０４において、第１撮影パラメータおよび第２撮影パラメータに従って現撮影パラメータを決定する。
【００４９】
移動端末は、所定条件に従って、第１撮影パラメータおよび第２撮影パラメータの一方を現撮影パラメータとして選択する。第１撮影パラメータが第１露光時間Ｔ１を含み、第２撮影パラメータが第２露光時間Ｔ２および実質感光度を含む場合、上記所定条件には、第１露光時間Ｔ１および第２露光時間Ｔ２のうち短い方を現露光時間とすることが含まれてもよい。露光時間を短くすることによって、スミアを回避または低減することができる。
【００５０】
あるいは、上記所定条件には、現露光量として撮影環境パラメータに対応する露光量を確保することがさらに含まれてもよい。絞り値が一定の場合、露光量は次の式によって算出することができる。
露光量＝α×第２撮影パラメータの露光時間×第２撮影パラメータの実質感光度（式中、αは所定の定数）
露光量が撮影環境パラメータに対応していることによって、撮影画像の品質を保証することができる。
【００５１】
実施可能な具体化態様として、本ステップには以下のステップが含まれる。
【００５２】
第１に、移動端末は第１露光時間Ｔ１と第２露光時間Ｔ２のどちらが長いかを検知する。
【００５３】
第２に、第１露光時間Ｔ１が第２露光時間Ｔ２以上である場合、移動端末は第２露光時間Ｔ２を現露光時間とし、実質感光度を現感光度とする。
【００５４】
第３に、第１露光時間Ｔ１が第２露光時間Ｔ２未満である場合、移動端末は第１露光時間Ｔ１を現露光時間とし、実質感光度と補償感光度との合計を現感光度とする。
【００５５】
現露光量が撮影環境パラメータに対応する露光量であれば、本実施形態において補償感光度を算出する方法は限定されない。
【００５６】
ステップ２０５において、現撮影パラメータに従って画像を撮影する。
【００５７】
移動端末は現撮影パラメータに従って画像を撮影する。すなわち、移動端末は現露光時間および現感光度に従って画像を撮影する。
【００５８】
移動端末は、ユーザがシャッターを押した後、ユーザからの別の手動操作を要することなく自動的に上記ステップを実施してもよい。
【００５９】
上述の通り、本実施形態に係る画像を撮影する方法では、移動端末の運動パラメータに従って現撮影パラメータを決定し、現撮影パラメータに従って画像を撮影することによって、移動端末の動きに起因して撮影画像に顕著なスミアが生じてしまうという問題を解決し、移動端末の運動パラメータに従って現撮影パラメータを決定して、撮影画像にまったくスミアがない状態またはほとんどスミアがない状態にするという効果を達成する。
【００６０】
本実施形態に係る画像を撮影する方法では、第１露光時間Ｔ１および第２露光時間Ｔ２のうち短い方を現露光時間として選択することによって、スミアを回避または低減することができる。
【００６１】
本実施形態に係る画像を撮影する方法では、第１露光時間Ｔ１が選択された場合に補償感光度を加算することによって、現露光量として撮影環境パラメータに対応する露光量を確保し、移動端末が動いている最中に撮影される画像の品質を確保する。
【００６２】
図３は、本開示の別の例示的な実施形態に係る画像を撮影する方法を示すフローチャートである。本実施形態では、上記画像を撮影する方法を画像撮影が可能な移動端末に適用した場合を例に取る。上記画像を撮影する方法は、以下のステップを含んでもよい。
【００６３】
ステップ３０１において、移動端末の運動パラメータを取得する。
【００６４】
移動端末は、重力加速度センサ、ジャイロセンサ、および電子コンパスセンサなどの内部センサを通常備えている。
【００６５】
画像撮影の際、移動端末は内部センサによって自身の運動パラメータを取得する。運動パラメータには、加速度、線速度、および角速度のうち少なくとも１つが含まれる。運動パラメータは、移動端末の運動特性を表すように構成される。
【００６６】
ステップ３０２において、第１対応関係において運動パラメータに対応する第１撮影パラメータを問い合わせる。第１撮影パラメータには第１露光時間Ｔ１が含まれる。
【００６７】
第１対応関係は、少なくとも１つの運動パラメータ群と、各運動パラメータ群に対応する第１撮影パラメータとを含む。表１に第１対応関係の一例を示す。
【００６８】
現運動パラメータを取得する際、移動端末は、第１対応関係において現運動パラメータに対応する第１撮影パラメータを問い合わせる。第１撮影パラメータには第１露光時間Ｔ１が含まれる。
【００６９】
ステップ３０３において、移動端末の環境のパラメータである撮影環境パラメータを取得する。
【００７０】
撮影環境パラメータは、撮影時間、撮影場所、光度、およびホワイトバランスパラメータのうち少なくとも１つを含んでもよい。移動端末は、内部時計によって撮影時間を取得し、内部測位モジュールによって撮影場所を取得し、光度センサによって光度を取得し、ホワイトバランスセンサによってホワイトバランスパラメータを取得してもよい。わかりやすくするため、本実施例では撮影環境パラメータが光度である場合を例に取る。
【００７１】
ステップ３０４において、第２対応関係において撮影環境パラメータに対応する第２撮影パラメータを問い合わせる。第２撮影パラメータには第２露光時間Ｔ２および実質感光度が含まれる。
【００７２】
第２対応関係は、少なくとも１つの撮影環境パラメータ群と、各撮影環境パラメータ群に対応する第２撮影パラメータとを含む。表２に第２対応関係の一例を示す。
【００７３】
現撮影環境パラメータを取得する際、移動端末は、第２対応関係において現撮影環境パラメータに対応する第２撮影パラメータを問い合わせる。第２撮影パラメータには第２露光時間Ｔ２および実質感光度が含まれる。
【００７４】
ステップ３０５において、第１露光時間Ｔ１が第２露光時間Ｔ２以上であるか否かを検知する。
【００７５】
Ｔ１がＴ２以上である場合、ステップ３０６に進む。Ｔ１がＴ２未満である場合、ステップ３０７に進む。
【００７６】
ステップ３０６において、第１露光時間Ｔ１が第２露光時間Ｔ２以上である場合、第２露光時間Ｔ２を現露光時間とし、実質感光度を現感光度とする。
【００７７】
ステップ３０７において、第１露光時間Ｔ１が第２露光時間Ｔ２未満である場合、第１露光時間Ｔ１を現露光時間とし、実質感光度と補償感光度との合計が移動端末の最大感光度を超えているか否かを検知する。
【００７８】
すなわち、第１露光時間Ｔ１が第２露光時間Ｔ２未満である場合、移動端末は第１露光時間Ｔ１を現露光時間とする。
【００７９】
一方、実質感光度は現環境パラメータおよび第２露光時間Ｔ２に従って決定されるため、移動端末は、第１露光時間Ｔ１を現露光時間として選択する際、補償感光度を算出して実質感光度を補償してもよい。本実施形態において補償感光度を算出する方法は限定されない。
【００８０】
移動端末のカメラがサポートする感光度には上限があるため、移動端末は、補償感光度を算出した後、実質感光度と補償感光度との合計が移動端末の最大感光度を超えているか否かをさらに検知する。
【００８１】
実質感光度と補償感光度との合計が最大感光度を超えている場合、ステップ３０８に進む。
【００８２】
実質感光度と補償感光度との合計が最大感光度未満である場合、ステップ３０９に進む。
【００８３】
実質感光度と補償感光度との合計が移動端末の最大感光度を超えている場合、ステップ３０８において、最大感光度を現感光度とする。
【００８４】
実質感光度と補償感光度との合計が移動端末の最大感光度未満である場合、ステップ３０９において、実質感光度と補償感光度との合計を現感光度とする。
【００８５】
ステップ３１０において、現撮影パラメータに従って画像を撮影する。
【００８６】
移動端末は現撮影パラメータに従って画像を撮影する。すなわち、移動端末は現露光時間および現感光度に従って画像を撮影する。
【００８７】
移動端末は、ユーザがシャッターを押した後、ユーザからの別の手動操作を要することなく自動的に上記ステップを実施してもよい。
【００８８】
上述の通り、本実施形態に係る画像を撮影する方法では、移動端末の運動パラメータに従って現撮影パラメータを決定し、現撮影パラメータに従って画像を撮影することによって、移動端末の動きに起因して撮影画像に顕著なスミアが生じてしまうという問題を解決し、移動端末の運動パラメータに従って現撮影パラメータを決定して、撮影画像にまったくスミアがない状態またはほとんどスミアがない状態にするという効果を達成する。
【００８９】
本実施形態に係る画像を撮影する方法では、第１露光時間Ｔ１および第２露光時間Ｔ２のうち短い方を現露光時間として選択することによって、スミアを回避または低減することができる。
【００９０】
本実施形態に係る画像を撮影する方法では、第１露光時間Ｔ１が選択された場合に、最大感光度、または実質感光度と補償感光度との合計を現感光度とすることによって、移動端末が動いている最中に撮影される画像の品質を保証する。
【００９１】
図２に示す実施形態および図３に示す実施形態のいずれにおいても、補償感光度を算出する方法は限定されないが、図２に示す実施形態および図３に示す実施形態のいずれにおいても、第１露光時間Ｔ１と第２露光時間Ｔ２との差によって補償感光度を決定することができると解釈されたい。
【００９２】
実施可能な具体化態様として、移動端末は、「差‐補償感光度」テーブルを予め設定してもよい。第１露光時間Ｔ１を現露光時間として使用する場合、移動端末は上記テーブルを検索することによって補償感光度を取得する。
【００９３】
別の実施可能な具体化態様として、移動端末はリアルタイムで補償感光度を算出してもよい。あるいは、補償感光度＝Ｔ２×実質感光度／Ｔ１−実質感光度、とすることができる。換言すると、露光量＝α×Ｔ２×実質感光度＝α×Ｔ１×（実質感光度＋補償感光度）である。
【００９４】
本開示に係る装置の実施形態は以下の通りである。該装置は、本開示に係る方法の実施形態を実施するように構成されてもよい。本開示に係る装置の実施形態に開示されない詳細については、本開示に係る方法の実施形態を参照されたい。
【００９５】
図４は、本開示の例示的な実施形態に係る画像を撮影する装置を示すブロック図である。上記画像を撮影する装置は、ハードウェア、ソフトウェア、またはこれらの組み合わせによって実現してもよく、移動端末または移動端末の一部として構成してもよい。上記画像を撮影する装置は、取得モジュール４２０、決定モジュール４４０、および撮影モジュール４６０を備えていてもよい。
【００９６】
取得モジュール４２０は、移動端末の運動パラメータを取得するように構成される。
【００９７】
決定モジュール４４０は、運動パラメータに従って現撮影パラメータを決定するように構成される。
【００９８】
撮影モジュール４６０は、現撮影パラメータに従って画像を撮影するように構成される。
【００９９】
上述の通り、本実施形態に係る画像を撮影する装置では、移動端末の運動パラメータに従って現撮影パラメータを決定し、現撮影パラメータに従って画像を撮影することによって、移動端末の動きに起因して撮影画像に顕著なスミアが生じてしまうという問題を解決し、移動端末の運動パラメータに従って現撮影パラメータを決定して、撮影画像にまったくスミアがない状態またはほとんどスミアがない状態にするという効果を達成する。
【０１００】
図５は、本開示の別の例示的な実施形態に係る画像を撮影する装置を示すブロック図である。上記画像を撮影する装置は、ハードウェア、ソフトウェア、またはこれらの組み合わせによって実現してもよく、移動端末または移動端末の一部として構成してもよい。上記画像を撮影する装置は、取得モジュール４２０、決定モジュール４４０、および撮影モジュール４６０を備えていてもよい。
【０１０１】
取得モジュール４２０は、移動端末の運動パラメータを取得するように構成される。
【０１０２】
決定モジュール４４０は、運動パラメータに従って現撮影パラメータを決定するように構成される。
【０１０３】
撮影モジュール４６０は、現撮影パラメータに従って画像を撮影するように構成される。
【０１０４】
あるいは、決定モジュール４４０は、運動パラメータに従って第１撮影パラメータを算出するように構成された第１算出サブモジュール４４２と、移動端末の環境のパラメータである撮影環境パラメータに従って第２撮影パラメータを算出するように構成された第２算出サブモジュール４４４と、第１撮影パラメータおよび第２撮影パラメータに従って現撮影パラメータを決定するように構成された撮影決定サブモジュール４４６とを備えてもよい。
【０１０５】
あるいは、第１撮影パラメータには第１露光時間Ｔ１が含まれてもよく、第２撮影パラメータには第２露光時間Ｔ２および実質感光度が含まれてもよい。
【０１０６】
撮影決定サブモジュール４４６は、所定条件に従って、第１撮影パラメータおよび第２撮影パラメータの一方を現撮影パラメータとして選択するようにさらに構成される。上記所定条件には、第１露光時間Ｔ１および第２露光時間Ｔ２のうち短い方を現露光時間とすることが含まれる。あるいは、上記所定条件には、現露光量として撮影環境パラメータに対応する露光量を確保することがさらに含まれてもよい。絞り値が一定の場合、露光量は次の式によって算出することができる。
露光量＝α×第２撮影パラメータの露光時間×第２撮影パラメータの実質感光度（式中、αは所定の定数）
【０１０７】
撮影決定サブモジュール４４６は、第１露光時間Ｔ１が第２露光時間Ｔ２以上の場合、第２露光時間Ｔ２を現露光時間とし、実質感光度を現感光度とするようにさらに構成され、第１露光時間Ｔ１が第２露光時間Ｔ２未満の場合、第１露光時間Ｔ１を現露光時間とし、実質感光度と補償感光度との合計を現感光度とするように構成される。
【０１０８】
あるいは、第１露光時間Ｔ１と第２露光時間Ｔ２との差によって補償感光度を決定してもよい。あるいは、補償感光度＝Ｔ２×実質感光度／Ｔ１−実質感光度、とすることができる。換言すると、露光量＝α×Ｔ２×実質感光度＝α×Ｔ１×（実質感光度＋補償感光度）である。
【０１０９】
あるいは、上記画像を撮影する装置は、最大感光度検知モジュール４４１と、最大感光度設定モジュール４４３とをさらに備えてもよい。
【０１１０】
最大感光度検知モジュール４４１は、実質感光度と補償感光度との合計が移動端末の最大感光度を超えているか否かを検知するように構成される。
【０１１１】
最大感光度設定モジュール４４３は、実質感光度と補償感光度との合計が移動端末の最大感光度を超えていると最大感光度検知モジュール４４１が検知した場合、最大感光度を現感光度とするように構成される。
【０１１２】
撮影決定サブモジュール４４６は、実質感光度と補償感光度との合計が移動端末の最大感光度未満であると最大感光度検知モジュール４４１が検知した場合、実質感光度と補償感光度との合計を現感光度とするようにさらに構成される。
【０１１３】
あるいは、第１算出サブモジュール４４２は、少なくとも１つの運動パラメータ群と、各運動パラメータ群に対応する第１撮影パラメータとを含む第１対応関係において、運動パラメータに対応する第１撮影パラメータを問い合わせるように構成されてもよい。
【０１１４】
あるいは、第２算出サブモジュール４４４は、少なくとも１つの撮影環境パラメータ群と、各撮影環境パラメータ群に対応する第２撮影パラメータとを含む第２対応関係において、撮影環境パラメータに対応する第２撮影パラメータを問い合わせるように構成されてもよい。
【０１１５】
上記の通り、本実施形態に係る画像を撮影する装置では、移動端末の運動パラメータに従って現撮影パラメータを決定し、現撮影パラメータに従って画像を撮影することによって、移動端末の動きに起因して撮影画像に顕著なスミアが生じてしまうという問題を解決し、移動端末の運動パラメータに従って現撮影パラメータを決定して、撮影画像にまったくスミアがない状態またはほとんどスミアがない状態にするという効果を達成する。
【０１１６】
本実施形態に係る画像を撮影する装置では、第１露光時間Ｔ１および第２露光時間Ｔ２のうち短い方を現露光時間として選択することによって、スミアを回避または低減することができる。
【０１１７】
本実施形態に係る画像を撮影する装置では、第１露光時間Ｔ１が選択された場合に、最大感光度、または実質感光度と補償感光度との合計を現感光度とすることによって、移動端末が動いている最中に撮影される画像の品質を保証する。
【０１１８】
上記の実施形態に係る装置について、これら装置に含まれる個々のモジュールの動作の詳細は、上記方法に関する実施形態において詳細に説明したため、ここでは繰り返して詳述しない。
【０１１９】
図６は、本開示の例示的な実施形態に係る画像を撮影する装置６００のブロック図である。たとえば、装置６００は、携帯電話、コンピュータ、デジタル放送端末、メッセージ通信機器、ゲーム機、タブレット、医療機器、運動機器、携帯情報端末などであり得る。
【０１２０】
図６を参照し、装置６００は、プロセッサ部６０２、メモリ６０４、電源部６０６、マルチメディア部６０８、音声部６１０、入出力（Ｉ／Ｏ）インターフェース６１２、センサ部６１４、および通信部６１６のうち１つ以上を含んでいてもよい。
【０１２１】
通常、プロセッサ部６０２は、表示、通話、データ通信、カメラ動作、および記録動作に関する動作など、装置６００の動作全体を制御する。プロセッサ部６０２は、１つ以上のプロセッサ６２０を備えて上記方法のステップの全部または一部を実施する命令を実行してもよい。さらに、プロセッサ部６０２は、プロセッサ部６０２と他の構成要素との間の相互作用を支援する１つ以上のモジュールを備えていてもよい。たとえば、プロセッサ部６０２は、マルチメディア部６０８とプロセッサ部６０２との間の相互作用を支援するマルチメディアモジュールを備えていてもよい。
【０１２２】
メモリ６０４は、各種データを格納して、装置６００の動作をサポートするように構成される。このようなデータとしては、たとえば、装置６００で操作される任意のアプリケーションまたは方法に関する命令、連絡先データ、電話帳データ、メッセージ、画像、動画などが挙げられる。メモリ６０４は、スタティックＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、ＲＯＭ（Ｒｅａｄ−Ｏｎｌｙ  Ｍｅｍｏｒｙ）、磁気メモリ、フラッシュメモリ、磁気ディスク、および光ディスクなどの各種揮発性もしくは不揮発性メモリ装置、またはこれらの組み合わせを用いて実装することができる。
【０１２３】
電源部６０６は、装置６００の各種構成要素に電力を供給する。電源部６０６は、電力管理システム、１つ以上の電源、ならびに装置６００における電力の生成、管理、および配電に関連する任意の他の構成要素を備えていてもよい。
【０１２４】
マルチメディア部６０８は、装置６００とユーザとの間の出力インターフェースを提供する画面を備える。いくつかの実施形態では、上記画面は液晶表示装置（ＬＣＤ）およびタッチパネル（ＴＰ）を含んでいてもよい。画面にタッチパネルが含まれる場合、上記画面は、ユーザからの入力信号を受け付けるタッチスクリーンとして実装されてもよい。タッチパネルは、タッチパネル上のタッチ、スワイプ、およびジェスチャーを感知する１つ以上のタッチセンサを備える。タッチセンサは、タッチ操作またはスワイプ操作の範囲を感知することに加えて、タッチ操作またはスワイプ操作に関する時間および押圧力も感知してもよい。いくつかの実施形態では、マルチメディア部６０８は、フロントカメラおよび／またはバックカメラを備える。フロントカメラおよびバックカメラは、装置６００が写真モードや動画モードなどの動作モードにある間、外部からのマルチメディアデータを受信できる。フロントカメラおよびバックカメラは、それぞれ固定光学レンズ系であってもよいし、フォーカス機能や光学ズーム機能を有していてもよい。
【０１２５】
音声部６１０は、音声信号の出力および／または入力を行うように構成される。たとえば、音声部６１０はマイク（ＭＩＣ）を含む。マイクは、装置６００が通話モード、記録モード、音声認識モードなどの動作モードで稼働している際、外部からの音声信号を受信するように構成される。受信した音声信号は、さらにメモリ６０４に記憶されたり、通信部６１６を介して送信されたりしてもよい。いくつかの実施形態では、音声部６１０は音声信号を出力するためのスピーカーをさらに備える。
【０１２６】
Ｉ／Ｏインターフェース６１２は、プロセッサ部６０２と、キーボード、クリックホイール、ボタンなどの周辺機器インターフェースモジュールとの間のインターフェースを提供する。ボタンとしては、ホームボタン、ボリュームボタン、起動ボタン、およびロックボタンが挙げられるが、これらに限定されない。
【０１２７】
センサ部６１４は、装置６００の各種機能の状態を判定するためのセンサを１つ以上備える。センサ部６１４は、たとえば、装置６００の開閉状態を検知したり、部材と部材（たとえば、装置６００のディスプレイやキーボードなど）の相対的な位置関係を検知したりできる。また、センサ部６１４は、装置６００の位置もしくは装置６００の部材の位置の変化を検知したり、装置６００に対するユーザ接触の有無を検出したり、装置６００の向きもしくは加速度／減速度を検知したり、装置６００の温度変化を検知したりできる。センサ部６１４は、近くにある物体の存在を物理的に接触せずに検知するように構成された近接センサを備えていてもよい。また、センサ部６１４は、撮像アプリケーション用のＣＭＯＳイメージセンサやＣＣＤイメージセンサなどの光センサを備えていてもよい。いくつかの実施形態では、センサ部６１４は、加速度センサ、ジャイロセンサ、磁気センサ、圧力センサ、または温度センサを備えていてもよい。
【０１２８】
通信部６１６は、装置６００と他の装置との間の有線または無線の通信を支援するように構成される。装置６００は、ＷｉＦｉ、２Ｇ、３Ｇなどの通信規格またはその組み合わせに基づいて、無線ネットワークにアクセスすることができる。例示的な実施形態では、通信部６１６は、放送信号や放送に関連する情報を、外部の放送管理システムから放送チャネル経由で受信する。例示的な実施形態では、通信部６１６は、近距離通信を支援する近距離無線通信（ＮＦＣ）モジュールをさらに含む。たとえば、ＮＦＣモジュールの実装には、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、超広帯域無線（ＵＷＢ）技術、Ｂｌｕｅｔｏｏｔｈ（登録商標）（ＢＴ）技術、およびその他の通信技術を用いることができる。
【０１２９】
ある例示的な実施形態では、上記の方法を実行する装置６００の実装には、１つ以上の特定用途向け集積回路（ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ））、デジタル信号プロセッサ（ＤＳＰ（Ｄｉｇｉｔａｌ  Ｓｉｇｎａｌ  Ｐｒｏｃｅｓｓｏｒ））、デジタル信号処理装置（ＤＳＰＤ（Ｄｉｇｉｔａｌ  Ｓｉｇｎａｌ  Ｐｒｏｃｅｓｓｉｎｇ  Ｄｅｖｉｃｅ））、プログラム可能な論理素子（ＰＬＤ（Ｐｒｏｇｒａｍｍａｂｌｅ  Ｌｏｇｉｃ  Ｄｅｖｉｃｅ））、フィールドプログラマブルゲートアレイ（ＦＰＧＡ（Ｆｉｅｌｄ  Ｐｒｏｇｒａｍｍａｂｌｅ  Ｇａｔｅ  Ａｒｒａｙ））、コントローラ、マイクロコントローラ、マイクロプロセッサ、その他の電子部品を用いてもよい。
【０１３０】
また、ある例示的な実施形態では、命令を格納するメモリ６０４のような、命令を格納する非一時的コンピュータ読取可能記憶媒体が提供される。上記の命令は、上記の方法を実施するために装置６００のプロセッサ６２０によって実行可能な命令である。非一時的コンピュータ読取可能記憶媒体は、たとえば、ＲＯＭ、ＲＡＭ、ＣＤ−ＲＯＭ、磁気テープ、フロッピー（登録商標）ディスク、光データ記憶装置、などであり得る。
【０１３１】
非一時的コンピュータ読取可能記憶媒体が提供される。該記憶媒体の命令が装置６００のプロセッサによって実行されることにより、装置６００が画像を撮影する方法を実施する。
【０１３２】
本発明の他の実施形態は、本明細書の記載や本明細書に開示した本発明の実施を通じて当業者には明らかであろう。本願は、本発明の原理にしたがったあらゆる変形、使用、適合を包含することを意図しており、当該分野で公知または慣行の範疇にある逸脱も本開示の範囲に含まれる。明細書の記載や例はあくまでも例示であって、本発明の真の範囲および精神は特許請求の範囲によって示される。
【０１３３】
本発明は、上述および添付図面に図示した特定の構成に何ら限定されるものではなく、本発明の範囲から逸脱することなく種々の変形、変更が可能であることが理解されるであろう。本発明の範囲は、特許請求の範囲によってのみ限定されるものである。
【図１】
0006267363.tif 000004
【図２】
0006267363.tif 000005
【図３】
0006267363.tif 000006
【図４】
0006267363.tif 000007
【図５】
0006267363.tif 000008
【図６】
0006267363.tif 000009